(57)【要約】【課題】カートリッジの挿入動作の操作感が良好で確実にカートリッジを排出し、かつ、本体構成を簡素化して低価格化と薄型化とを実現する。【解決手段】本体筐体２にカートリッジＣを挿脱するための挿脱口２２が形成され、この本体筐体２内部には、挿入したカートリッジＣを保持し、カートリッジＣを挿脱位置と装填位置との間を往復搬送させるためにローディング機構により往復移動するホルダ５と、ホルダ５に係合されるとともに装填位置に向かって付勢され、ホルダ５の往復移動に伴って往復移動するスライド部６と、スライド部６の往復移動によりローディング機構の電源をオンオフさせるローディング部７と、スライド部６に近接する方向に付勢されるとともにスライド部６の往復移動を規制し、予め設定した支点８１を軸にしてその一端部８２が回動可能とするロックレバー部８とが設けられている。【選択図】図１
2005116054.tif 000002
【特許請求の範囲】
【請求項１】
本体筐体に、ディスクが収納されたカートリッジを挿脱するための挿脱口が設けられ、前記カートリッジを、前記挿脱口から前記本体筐体内部に挿入し、各種情報の記録再生を行なう位置である装填位置まで搬送して、前記ディスクから各種情報の記録再生を行ない、その後に前記カートリッジを前記挿脱口から排出するディスク装置において、
前記挿脱口から挿入した前記カートリッジを保持し、前記カートリッジを前記挿脱口である挿脱位置と前記装填位置との間を往復搬送させるためにローディング機構により往復移動するホルダと、
前記ホルダに係合されるとともに前記装填位置に向かって付勢され、前記ホルダの往復移動に伴って往復移動するスライド部と、
前記スライド部の往復移動によりローディング機構の電源をオンオフさせるローディング部と、
前記スライド部に近接する方向に付勢され、前記スライド部の往復移動を規制するロックレバー部と、が設けられ、
前記カートリッジの挿入時、前記カートリッジの挿入方向の後端部が前記挿脱口に近接した位置において前記スライド部によって前記ローディング部による前記ローディング機構の電源がオンされることを特徴とするディスク装置。
【請求項２】
請求項１に記載のディスク装置において、
前記ロックレバー部は、予め設定した支点を軸にしてその一端が回動可能とされるとともに、このロックレバー部には、前記スライド部を係止するロック部と、前記ロック部による前記スライド部の係止を解除するロック解除部とが設けられ、
前記ホルダの往復移動に伴って前記支点を軸にして前記ロックレバー部の一端が回動されることにより、前記ロックレバー部と前記スライド部との係止およびその解除が行われることを特徴とするディスク装置。
【請求項３】
請求項２に記載のディスク装置において、
前記スライド部と前記ロックレバー部とは同一平面上に設けられたことを特徴とするディスク装置。
【発明の詳細な説明】
【技術分野】
【０００１】
本発明は、ディスクが収納されたカートリッジをローディングするディスク装置に関する。特に、ディスクが収納されたカートリッジを本体筐体内に挿脱口から挿入してローディングする所謂スロットイン方式のディスク装置に関する。
【背景技術】
【０００２】
現在、コンピュータやＡＶ機器等の情報記録媒体として、ディスクの表面を保護する等の目的でＤＶＤ−ＲＡＭ等の光ディスクを収納したカートリッジが用いられ、このようなカートリッジを本体内にローディングするディスク装置が開発されている。
【０００３】
この従来のディスク装置には、例えば、カートリッジを本体筐体内に挿脱口から挿脱するスロットイン方式のディスク装置がある。
【０００４】
このスロットイン方式を採用したディスク装置では、挿脱口から本体筐体内に挿入したカートリッジを所定のローディング位置まで移動させた後に、カートリッジに収納されたディスクの記録再生を行なう。
【０００５】
ところで、このスロットイン方式のディスク装置では、カートリッジのディスク装置への挿入時において、挿脱口から挿入したカートリッジの引き込みがローディング機構によって開始される。このカートリッジの引き込みの際、ユーザーがカートリッジの挿入方向の後端部を掴んでしまう場合がある。この場合、ローディング機構とカートリッジの位相がずれた状態で、カートリッジが所定のローディング位置まで移動する。その結果、カートリッジやその内部に収納されたディスクと、ディスク装置に設けられたスピンドルモータや光ピックアップなどとが衝突し、破損することがあった。
【０００６】
この問題点を解決した従来のディスク装置に、カートリッジの挿入時において、ディスク装置の挿脱口とカートリッジの挿入方向の後端部位置がほぼ同一な位置に配された時に、ローディング機構によってカートリッジの引込みが開始されるよう構成されたスロットイン方式のディスク装置がある（例えば、特許文献１、２ご参照。）。
【０００７】
例えば、下記する特許文献１に記載のスロットイン方式のディスク装置によれば、ローディング時には、イジェクトスプリングに抗して、カートリッジをカートリッジホルダ内の所定のローディング位置まで押し込み操作し、そのローディング位置へのカートリッジの挿入を検知すると、モータの駆動でカムが回転し、カートリッジホルダと共にカートリッジを装填位置に移動させる。一方、イジェクト時には、モータの駆動でカムが逆回転し、カートリッジホルダと共にカートリッジを装填位置からカートリッジ挿脱位置に移動させ、最後にイジェクトスプリングの付勢によって、カートリッジをカートリッジホルダ内から排出する。なお、このディスク装置に装填するカートリッジは、収納されたディスクを保護するとともに、ディスク装置の光ピックアップを臨ませるための開口部を開閉するためのシャッタを有している。
【０００８】
また、下記する特許文献２に記載のスロットイン方式のディスク装置によれば、ローディング時には、挿脱口から挿入したカートリッジがカートリッジホルダに保持され、この状態でカートリッジホルダが装填位置に移動する時、イジェクトレバーの駆動ピンが第１の経路を通過する。一方、イジェクト時には、イジェクトレバーの駆動ピンがガイド部材のカム部に倣う第２の経路を移動するようにし、カートリッジがイジェクトレバーにより挿脱口からその一部を突出させた状態で停止する。
【０００９】
上記したように、下記する特許文献１、２に記載のディスク装置によれば、カートリッジのディスク装置への挿入時においては、ユーザーがカートリッジを掴めないようにし、また、カートリッジの排出時においては、ユーザーがカートリッジを掴んで引き抜けるような位置まで、カートリッジを排出することができる。
【特許文献１】特開平５−１３５４７０号公報（１９９３年６月１日公開）
【特許文献２】特開平８−２１２６５８号公報（１９９６年８月２０日公開）
【発明の開示】
【発明が解決しようとする課題】
【００１０】
しかしながら、上記した特許文献１に記載のディスク装置の構成では、イジェクトスプリングに抗してカートリッジを手動により押し込み操作する。そのため、操作感が損なわれ、商品性に劣る問題がある。また、このカートリッジの開口部を開閉するためのシャッタには、その開閉動作の負荷が大きいものもあり、そして、カートリッジのイジェクトは、イジェクトスプリングの付勢によって、カートリッジをカートリッジホルダ内から排出するようにしているため、イジェクトスプリングによる排出では、その排出量にばらつきがある。さらに、最悪の場合、ディスク装置からカートリッジが取り出せなくなるという問題がある。
【００１１】
また、上記した特許文献２に記載のディスク装置の構成では、イジェクトレバーとガイド部材とが積み重ねた状態としなければならず、装置の薄型化が困難である。
【００１２】
そこで、上記課題を解決するために、本発明は、カートリッジの挿入動作の操作感が良好で確実にカートリッジを排出し、かつ、本体構成を簡素化して低価格化と薄型化とを実現するディスク装置を提供することを目的とする。
【課題を解決するための手段】
【００１３】
上記の目的を達成するため、本発明に係るディスク装置は、本体筐体に、ディスクが収納されたカートリッジを挿脱するための挿脱口が設けられ、前記カートリッジを、前記挿脱口から前記本体筐体内部に挿入し、各種情報の記録再生を行なう位置である装填位置まで搬送して、前記ディスクから各種情報の記録再生を行ない、その後に前記カートリッジを前記挿脱口から排出するディスク装置において、前記挿脱口から挿入した前記カートリッジを保持し、前記カートリッジを前記挿脱口である挿脱位置と前記装填位置との間を往復搬送させるためにローディング機構により往復移動するホルダと、前記ホルダに係合されるとともに前記装填位置に向かって付勢され、前記ホルダの往復移動に伴って往復移動するスライド部と、前記スライド部の往復移動によりローディング機構の電源をオンオフさせるローディング部と、前記スライド部に近接する方向に付勢され、前記スライド部の往復移動を規制するロックレバー部と、が設けられ、前記カートリッジの挿入時、前記カートリッジの挿入方向の後端部が前記挿脱口に近接した位置において前記スライド部によって前記ローディング部による前記ローディング機構の電源がオンされることを特徴とするディスク装置。
【００１４】
本発明によれば、ホルダとスライド部とローディング部とロックレバー部とが設けられ、カートリッジの挿入時、カートリッジの挿入方向の後端部がディスク装置の挿脱口に近接した位置においてスライド部によってローディング部によるローディング機構の電源がオンされてカートリッジの引込みを開始し、イジェクト時、カートリッジがディスク装置の挿脱口から所定の位置（排出位置）に達するまでカートリッジを排出することが可能となる。そのため、カートリッジの挿入時及び排出時にその操作感を損なうことが無く、また、シャッタ動作負荷が大きいカートリッジであっても確実に排出することが可能となる。また、ローディング機構の電源のオンオフ（ローディング開始・停止）は、スライド部の往復移動に連動してローディング部により行なわれるので、ディスク装置の本体構成を簡素化して低価格化と薄型化とを実現することが可能となる。
【００１５】
具体的に、上記構成において、上記ロックレバー部は、予め設定した支点を軸にしてその一端が回動可能とされるとともに、このロックレバー部には、上記スライド部を係止するロック部と、上記ロック部による上記スライド部の係止を解除するロック解除部とが設けられ、上記ホルダの往復移動に伴って上記支点を軸にして上記ロックレバー部の一端が回動されることにより、上記ロックレバー部と上記スライド部との係止およびその解除が行われてもよい。
【００１６】
この場合、カートリッジの挿入時、ロックレバー部のロック部によりスライド部が係止されてカートリッジが装填位置に搬送され、イジェクト時、ロックレバー部のロック解除部によりスライド部のロック部への係止が解除されてカートリッジが挿脱位置に搬送される。そのため、カートリッジの挿入時及び排出時にその操作感を損なうことが無く、また、シャッタ動作負荷が大きいカートリッジであっても確実に排出することが可能となる。
【００１７】
上記構成において、上記スライド部と上記ロックレバー部とは同一平面上に設けられてもよい。
【００１８】
この場合、スライド部とロックレバー部とは同一平面上に設けられているので、ディスク装置の薄型化を図るのに好ましい。特にスライド部とロックレバー部とが並んで設けられていることがより好ましい。
【発明の効果】
【００１９】
本発明によれば、ホルダとスライド部とローディング部とロックレバー部とが設けられ、カートリッジの挿入時、カートリッジの挿入方向の後端部がディスク装置の挿脱口に近接した位置においてスライド部によりローディング部によるローディング機構の電源がオンされてカートリッジの引込みを開始し、イジェクト時、カートリッジがディスク装置の挿脱口から所定の位置（排出位置）に達するまでカートリッジを排出することができる。そのため、カートリッジの挿入時及び排出時にその操作感を損なうことが無く、また、シャッタ動作負荷が大きいカートリッジであっても確実に排出することができる。また、ローディング機構の電源のオンオフ（ローディング開始・停止）は、スライド部の往復移動に連動してローディング部により行なわれるので、ディスク装置の本体構成を簡素化して低価格化と薄型化とを実現することができる。
【発明を実施するための最良の形態】
【００２０】
以下、本発明の実施の形態について図面を参照して説明する。なお、以下に示す実施の形態では、ディスク装置として光ディスク装置に本発明を適用した場合を示すが、これに限定されるものではなく、カートリッジに収納されたディスクの形態によってディスク装置の形態が変更可能であり、例えば磁気ディスク装置などの他の形態のディスク装置であってもよい。
【００２１】
以下、本発明の実施の形態について図面を参照して説明する。なお、本実施の形態では、図１〜４の紙面上の上下方向（Ｙ方向）、左右方向（Ｘ方向）を参照して各部材の名称およびその説明を行なう。
【００２２】
光ディスク装置１は、図１に示すように、略箱型形状の本体筐体２からなり、本体筐体２の一側面２１には、光ディスク（図示省略）が収納されたカートリッジＣ（以下、カートリッジという）を本体筐体２内部に挿脱するための挿脱口２２が形成されている。
【００２３】
この本体筐体２内部には、略箱型形状のフレーム３が設けられている。このフレーム３の一側面３１には、本体筐体２の挿脱口２２から挿脱されたカートリッジをフレーム３内部に挿脱するための開口部３２が形成されている。この開口部３２と本体筐体２の挿脱口２２とは同一平面上（図１〜４参照）に並んで配されている。
【００２４】
フレーム３の下面部３３の内側には、図１に示すように、平板のシャーシ４が設けられている。このシャーシ４には、カートリッジＣに収納された光ディスクを回転させるためのスピンドルモータ４１と、光ディスクへの情報を記録再生するための光ピックアップ４２とが設けられている。
【００２５】
シャーシ４は、図１〜４に示すように、昇降機構（図示省略）により上下方向（Ｙ１、Ｙ２方向）に移動可能とされており、カートリッジＣが装填位置にある時、上昇（Ｙ１方向）して図３に示す位置に配される。そして、スピンドルモータ４１がカートリッジＣに収納された光ディスクをチャッキングして、光ピックアップ４２により記録再生可能な状態とする。また、カートリッジＣが、排出位置にある時及び装填位置と排出位置との間を移動している時には、下降（Ｙ２方向）して図２に示す位置に配される。そのため、スピンドルモータ４１及び光ピックアップ４２とカートリッジＣとの干渉が防止可能である。
【００２６】
フレーム３の上面部３４の内側には、下記する、カートリッジホルダ５（以下、ホルダ５という）と、スライド部６と、ローディング部７と、ロックレバー部８とが設けられている。また、スライド部６とロックレバー部８とは同一平面上に設けられている（図１参照）。
【００２７】
ホルダ５は、図１に示すように、挿脱口２２から開口部３２を介して挿入したカートリッジＣを保持し、カートリッジＣを挿脱口２２である挿脱位置（図１に示すカートリッジＣが配された位置）と、カートリッジＣを装填し光ディスクの記録再生可能な装填位置（図２に示すカートリッジＣが配された位置）との間を往復搬送（Ｘ１、Ｘ２方向）させるためにローディング機構（図示省略）により往復移動（Ｘ１、Ｘ２方向）するものである。このホルダ５はフレーム３に係合されている。また、このホルダ５には、図５に示すように、（挿入）ロックレバー部８の下記するロック部８４によるスライド部６の係止を解除するためのロック解除当接部５１と、ロックレバー部８の動作を規制するためのばね５２を備えたばね掛け部５３とが設けられている。なお、図１〜１０に記載のＸ１方向は、カートリッジＣの挿入方向を示し、Ｘ２方向は、カートリッジＣの排出方向を示す。
【００２８】
スライド部６は、その一端部６１がばね９の一端９１に固定されている。スライド部６は、このばね９により、ホルダ５の装填位置に向かって（Ｘ１方向）付勢され、ホルダ５の往復移動（Ｘ１、Ｘ２方向）に伴って往復移動（Ｘ１、Ｘ２方向）、すなわちスライド可能とされている。なお、ばね９の他端９２は、ホルダ５のロック解除当接部５１に固定されている。
【００２９】
このスライド部６は、略Ｌ字形状に形成され、ローディング部７をＯＮ／ＯＦＦするためにローディング部７の下記するスイッチ部７１を押圧するスイッチ動作部６２と、ロックレバー部８の下記するロック部８４に係止される突起状の係止部６３とが設けられている。
【００３０】
ローディング部７は、スライド部６の往復移動によりローディング機構の電源をオンオフさせるものである。このローディング部７には、図５に示すように、スイッチ部７１が設けられ、スライド部６のスイッチ動作部６２によりスイッチ部７１が押圧されることでローディング機構の電源をオフ状態にする（例えば、図５参照）。また、スイッチ部７１が押圧されていない時、ローディング機構の電源はオン状態となる（例えば、図８参照）。
【００３１】
ロックレバー部８は、スライド部６に近接する方向（図５に示すＡ方向）に付勢され、スライド部６の往復移動を規制するものであり、予め設定した支点８１を軸にしてその一端部８２が回動可能にフレーム３の上面部３４に保持されている。また、支点８１はロックレバー部８の他端部８３に設けられている。このロックレバー部８の一端部８２は、図５に示すように、ホルダ５のばね掛け部５３にばね５２を介して固定されている。このばね５２により、ロックレバー部８の一端部８２は、図５に示すように、Ａ方向に付勢されている。また、ロックレバー部８の一端部８２近傍には、図５に示すように、スライド部６の係止部６３を係止するためのロック部８４が突起形成されている。さらに、ホルダ５の往復移動の際ホルダ５のロック解除当接部５１と当接するロック解除部８５と、スライド部６の往復移動の際スライド部６の係止部６３と当接するテーパ部８６とがロック部８４と同一面に設けられている。
【００３２】
次に、カートリッジＣの光ディスク装置１への挿脱について、図面を用いて以下に説明する。
【００３３】
まず、カートリッジＣを、図４に示すように、挿脱口２２から開口部３２を介してホルダ５に挿入する。この時、図４に示すように、ホルダ５は、開口部３２に最も近い位置に配され、図５に示すように、ロックレバー部８のロック部８４がスライド部６の係止部６３に係止されている。また、スライド部６のスイッチ動作部６２により、ローディング部７のスイッチ部７１が押圧されて、ローディング機構の電源はオフ状態となっている。
【００３４】
カートリッジＣを挿入し始め、カートリッジＣの挿入方向の後端部Ｃ１がホルダ５の所定の位置である挿脱位置（挿脱口２２）に達すると、ホルダ５が、カートリッジＣを保持し、この状態で挿入方向（Ｘ１方向）に移動する。この時、図６に示すように、ホルダ５に設けられたロック解除当接部５１がばね９を延ばしながら移動する。なお、スライド部６は、ロックレバー部８のロック部８４に係止部６３が係止されているため挿入方向（Ｘ１方向）に移動しない。
【００３５】
そして、さらにカートリッジＣがホルダ５により挿入方向（Ｘ１方向）に搬送されることにより、図７に示すように、ロック解除当接部５１がロックレバー部８のロック解除部８５に当接されて、ロックレバー部８の一端部８２が、ばね５２に抗して支点８１を軸にして反時計回りに回動される。ロックレバー部８が反時計回りに回動されることにより、ロック部８４がスライド部６の係止部６３からはずれ（係止解除）、スライド部６は、ばね９によりＸ１方向に移動する。この時、スライド部６のスイッチ動作部６２がローディング部７のスイッチ部７１からはずれ、ローディング機構の電源がオン状態となる。なお、この位置でのカートリッジＣの挿入方向の後端部Ｃ１は、図１に示すように、本体筐体２の挿脱口２２に近接した位置、すなわち、光ディスク装置１の前面位置（一側面２１）とほぼ同位置に位置する（挿脱位置）。そして、スライド部６のスイッチ動作部６２がローディング部７のスイッチ部７１からはずれることにより、ローディング機構が動作を開始し、図２及び図８に示すようにホルダ５に保持されたカートリッジＣが装填位置まで搬送される。
【００３６】
カートリッジＣが装填位置まで搬送された後、図３に示すように、図示しない昇降機構によりシャーシ４が上昇（Ｙ１方向）し、スピンドルモータ４１がカートリッジＣに収納された光ディスクをチャッキングし、光ピックアップ４２による各種情報の記録再生が可能な状態となり、光ディスクに各種情報の記録再生を行なう。
【００３７】
光ピックアップ４２による記録再生を終えると、光ディスク装置１の動作はカートリッジＣの排出動作に移行する。
【００３８】
まず、図示しない昇降機構によりシャーシ４が下降（Ｙ２方向）し、カートリッジＣは図２に示す位置に配される。
【００３９】
次に、図示しないローディング機構が動作を開始し、ホルダ５が排出方向（Ｘ２方向）に移動し、ホルダ５に保持されたカートリッジＣが排出方向に搬送される。この時、図９に示すように、ホルダ５のロック解除当接部５１がロックレバー部８のロック解除部８５に当接される。そして、ホルダ５をさらに排出方向（Ｘ２方向）に移動させることにより、ホルダ５のロック解除当接部５１とロックレバー部８のロック解除部８５とは、当接状態が解除される。この時の当接からその解除までのロックレバー部８の状態は、一旦ばね５２に抗して支点８１を軸にしてその一端部８２が反時計回りに回動して、当接が解除されるとすぐに元に戻る、すなわち、支点８１を軸にしてその一端部８２が時計回りに回動する。
【００４０】
さらにホルダ５が、排出方向（Ｘ２方向）に移動することにより、図１０に示すように、スライド部６の係止部６３が、ロックレバー部８のテーパ部８６に当接されて、ロックレバー部８が、ばね５２に抗して支点８１を軸にしてその一端部８２が反時計回りに回動される。
【００４１】
図１０に示す状態から更に、ホルダ５が排出方向（Ｘ２方向）に移動することにより、ロックレバー部８のロック部８４がスライド部６の係止部６３に入り込み、ロック部８４と係止部６３とが係止される。そして、ローディング部７のスイッチ部７１がスライド部６のスイッチ動作部６２に押圧されて、ローディング機構の電源がオフ状態となり、ローディング機構が動作を停止して、図５に示すように、カートリッジＣの排出動作が完了する。なお、カートリッジＣの排出動作が完了した時のカートリッジＣの挿入方向の後端部Ｃ１は、図４に示すように、光ディスク装置１の前面位置（一側面２１）から距離Ｌ離れた位置にある。
【００４２】
上記したように、本実施の形態にかかる光ディスク装置１によれば、ホルダ５とスライド部６とローディング部７とロックレバー部８とが設けられ、カートリッジＣの挿入時、カートリッジＣの挿入方向の後端部Ｃ１が挿脱口２２に近接した位置においてスライド部６によってローディング部７によるローディング機構の電源がオンされてカートリッジＣの引込みを開始し、イジェクト時、カートリッジＣが挿脱口２２から所定の位置（排出位置、図４参照）に達するまでカートリッジＣを排出することができる。具体的に、カートリッジＣの挿入時、ロックレバー部８のロック部８４によりスライド部６が係止されてカートリッジＣが装填位置に搬送され、イジェクト時（排出時）、ロックレバー部８のロック解除部８５によりスライド部６のロック部８４への係止が解除されてカートリッジＣが挿脱位置（図１参照）を介して排出位置（図４参照）に搬送される。そのため、カートリッジＣの挿入時及び排出時にその操作感を損なうことが無く、また、シャッタ動作負荷が大きいカートリッジＣであっても確実に排出することができる。また、ローディング機構の電源のオンオフ（ローディング開始・停止）は、スライド部６の往復移動に連動してローディング部７により行なわれるので、光ディスク装置１の本体構成を簡素化して低価格化と薄型化とを実現することができる。
【００４３】
また、スライド部６とロックレバー部８とが同一平面上に設けられている（図１参照）ので、光ディスク装置１の薄型化を図るのに好ましい。特にスライド部６とロックレバー部８とが並んで設けられていることがより好ましい。
【００４４】
なお、本実施の形態では、平板のシャーシ４を用いているが、その形状はこれに限定されるものではなく、任意に設計変更してもよい。
【００４５】
また、本実施の形態では、ロックレバー部８の回動をロック解除当接部５１との当接により行なっているが、これに限定されるものではなく、他の部材との当接による回動であってもよい。
【００４６】
また、本実施の形態では、ローディング部７によるローディング機構の電源のオンオフをスイッチ部７１により行なっているが、これに限定されるものではなく、スライド部６の往復移動に連動して行なうものであればよい。
【００４７】
また、本実施の形態では、カートリッジＣの往復搬送方向と、ホルダ５およびスライド部６の往復移動方向と、が同一の挿脱方向（Ｘ１、Ｘ２方向）とされているが、これに限定されるものではなく、カートリッジＣの往復搬送方向と、ホルダ５およびスライド部６の往復移動方向と、が傾いてもよく、また、ホルダ５とスライド部６との往復移動方向も同一方向に設定しなくてもよい。すなわち、これらの往復移動、搬送方向は、ディスク装置の設計により任意に設定可能である。
【００４８】
また、本実施の形態では、ホルダ５はフレーム３に設けられているが、これに限定されるものではなく、本体筐体内部であれば、ディスク装置の設計により任意の位置に設けられてもよい。
【産業上の利用可能性】
【００４９】
本発明は、光ディスクなどのディスクが収納されたカートリッジをローディングするディスク装置に適用できる。特に、ディスクを収納したカートリッジを本体筐体内に挿脱口から挿入してローディングする所謂スロットイン方式のディスク装置に適用することが好ましい。
【図面の簡単な説明】
【００５０】
【図１】本実施の形態にかかる、カートリッジを挿脱位置に配した状態の光ディスク装置を示す側面図である。
【図２】本実施の形態にかかる、カートリッジを装填位置に配した状態の光ディスク装置を示す側面図である。
【図３】本実施の形態にかかる、カートリッジに収納された光ディスクをチャッキングした状態の光ディスク装置を示す側面図である。
【図４】本実施の形態にかかる、カートリッジをアンローディング完了位置（排出位置）に配した状態の光ディスク装置を示す側面図である。
【図５】本実施の形態にかかる光ディスク装置に設けられた、カートリッジをアンローディング完了位置（排出位置）に配した状態のスライド部とローディング部とロックレバー部とを示した平面図である。
【図６】本実施の形態にかかる光ディスク装置に設けられた、カートリッジの挿入途中状態のスライド部とローディング部とロックレバー部とを示した平面図である。
【図７】本実施の形態にかかる光ディスク装置に設けられた、カートリッジをローディング開始位置に配した状態のスライド部とローディング部とロックレバー部とを示した平面図である。
【図８】本実施の形態にかかる光ディスク装置に設けられた、カートリッジを装填位置に配した状態のスライド部とローディング部とロックレバー部とを示した平面図である。
【図９】本実施の形態にかかる光ディスク装置に設けられた、カートリッジのローディング途中およびアンローディング途中状態のスライド部とローディング部とロックレバー部とを示した平面図である。
【図１０】本実施の形態にかかる光ディスク装置に設けられた、カートリッジのアンローディング途中状態のスライド部とローディング部とロックレバー部とを示した平面図である。（アンローディング途中）
【符号の説明】
【００５１】
１  光ディスク装置（ディスク装置）
２  本体筐体
２２  挿脱口
５  ホルダ
６  スライド部
７  ローディング部
８  ロックレバー部
８１  支点
８２  ロックレバー部の一端
８４  ロック部
８５  ロック解除部
Ｃ  カートリッジ
【図１】
2005116054.tif 000003
【図２】
2005116054.tif 000004
【図３】
2005116054.tif 000005
【図４】
2005116054.tif 000006
【図５】
2005116054.tif 000007
【図６】
2005116054.tif 000008
【図７】
2005116054.tif 000009
【図８】
2005116054.tif 000010
【図９】
2005116054.tif 000011
【図１０】
2005116054.tif 000012